(57)【要約】  開口容器２と、開口容器２を閉じるための蓋３とから構成される箱で、閉じた状態の箱１は、開口容器の底部壁４から構成されるベース面４と、蓋３の上部壁５から構成されるベース面５の２つのベース面４、５と、容器側面６と蓋側面７によって形成された少なくとも１つの側面と共に構成される。箱１が閉じた状態において、容器側面６と蓋側面７は、互いに少なくとも部分的に重なる。内側に対面し傾斜したスライド面１９が、さらに開口容器２を閉じる時、蓋３を容器２に対し、正しい閉じ位置に移動するために蓋３の上部壁５の内側に配置される。スライド面１９は、蓋側面７に沿って、かつ隣接して、上部壁５と蓋側面７に対してある角度をなして設けられ、蓋側面７から離れている。 【選択図】  図４
2008532861.tif 000002
【特許請求の範囲】
【請求項１】
開口容器２と、開口容器２を閉じるための蓋３とから構成される箱であって、
閉じた状態において、少なくとも部分的に互いに重なる容器側面６と蓋側面７とによって形成された少なくとも１つの側面とともに、前記開口容器２の底部壁４から構成されるベース面４と、前記蓋３の上部壁５から構成されるベース面５との２つのベース面によって、閉じた状態が規定されている前記箱において、
内側に対向し傾斜したスライド面１９が、前記開口容器２を閉じる際に、前記蓋３を、前記開口容器２に対し正しい閉じ位置に移動するために、前記蓋３の前記上部壁５の内側に配置され、そのスライド面１９は、前記蓋側面７に沿って、かつ隣接して前記上部壁５と前記蓋側面７に対しある角度をなして設けられ、かつ前記蓋側面７から離れていることを特徴とする箱。
【請求項２】
前記上部壁５の中心寄りの部分よりも、前記蓋側面５に隣接した部分において、前記上部壁５が、より厚い材厚を有するところに、前記傾斜したスライド面１９が形成されていることを特徴とする請求項１記載の箱。
【請求項３】
溝１５が、前記蓋側面７に隣接する前記蓋３の前記上部壁５の内側に配置され、その溝１５は、前記スライド面１９がその内側に配置される低いフランジ１６によって規定されていることを特徴とする請求項１又は２記載の箱。
【請求項４】
前記箱１が閉じている状態で、前記蓋３を前記開口容器２に対して固定するため、確実に連結する手段１０、１３が備えられていることを特徴とする請求項１〜３のいずれかに記載の箱。
【請求項５】
前記ベース面４、５の少なくとも一方の寸法が、閉じている状態の前記箱１の高さよりも大きいことを特徴とする請求項１〜４のいずれかに記載の箱。
【請求項６】
開口容器２を閉じるための箱１の蓋であって、
閉じた状態において、少なくとも部分的に、互いに重なる容器側面６と、蓋側面７とによって形成された少なくとも１つの側面とともに、前記開口容器２の底部壁４から構成されるベース面４と、前記蓋３の上部壁５から構成されるベース面５の２つのベース面によって閉じた状態が規定されている前記箱１において、
内側に対向し傾斜したスライド面１９が、前記開口容器２を閉じる際に、前記蓋３を、前記容器２に対し正しい閉じ位置に移動するために、前記蓋３の上部壁５の内側に配置され、
そのスライド面１９が、前記蓋側面７に沿って、かつ隣接して前記上部壁５と前記蓋側面７に対し、ある角度をなして設けられ、かつ前記蓋側面７から離れていることを特徴とする蓋。
【請求項７】
前記上部壁５の中心寄りの部分よりも、前記蓋側面５に隣接した部分において、前記上部壁５が、より厚い材厚を有するところに、前記傾斜したスライド面１９が形成されていることを特徴とする請求項６記載の蓋。
【請求項８】
溝１５が、前記蓋側面７に隣接する前記蓋３の前記上部壁５の内側に配置され、その溝１５が、前記スライド面１９がその内側に配置されている低いフランジ１６によって規定されていることを特徴とする請求項６又は７記載の蓋。   
【発明の詳細な説明】
【技術分野】
【０００１】
本発明は、請求項１の前半に関する箱とその箱の蓋に関する。
【背景技術】
【０００２】
嗅ぎ煙草の箱状の包装は、ばら売りの嗅ぎ煙草であれ、パックになった商品であれ、最も一般的には、中身が消費された場合に破棄される箱から構成される。箱は、上部の蓋が備わっている下部の容器で構成され、箱が開けられ、何度も、しばしば、２０回から５０回にわたって閉じられることが可能である。そのような箱は、プラスチック材料で有利に構成される。スペース、材料、及び価格の節約のために箱はできるだけ薄くなければならない。
【０００３】
この種の周知の箱は、ＳＥ５２４０２５に示され、その基本的な形状は、低く、まっすぐな円柱形であり、しばしばパックと結合している。この基本的な形状から進んで、箱は、例えば、丸い縁と、曲線の蓋と、角状に形成した下部とを有しても良い。容器の外周に沿って、しばしば縁などを有するが、それは、箱が閉じられる時に、蓋が、支えられるためである。この縁は、容器の壁が、縁の下部より上部においてよりいくらか小さな半径を有するところにおいて形成される。
【発明の開示】
【発明が解決しようとする課題】
【０００４】
周知の箱における１つの問題は、蓋がしばしば容器の上に斜めになる傾向を示すことである。この問題は、容器と蓋の材厚が減少されるところで、より厄介であり、またより頻繁に生じる。斜めにはめ込んだ蓋は、蓋がすぐに落ちること、又は、箱が正しく閉じていないことと意味する。もし再び正しく閉じられないのなら、箱の中身が箱から落ちる可能性があり、あるいは、乾燥するか、汚染されるかもしれない。又、他の方法でいくらか質の低下が生じることもありうる。
【課題を解決するための手段】
【０００５】
本発明の課題は、従来技術に内在する問題を完全に、あるいは部分的に取り除く改良された箱を作製することである。
【０００６】
その課題は、各独立クレームによる箱と蓋とによって完全に、あるいは、部分的に解決される。
【０００７】
本発明の実施例を、以下の説明と添付図と共に、従属クレームにおいて説明する。
【０００８】
本発明の請求項１によると、箱は、開口容器と、開口容器を閉じるための蓋とで構成されて製造される。閉じた状態で、箱は、開口容器の底部壁から構成されるベース面と、蓋の上部壁から構成されるベース面の、２つのベース面と、そして、容器側面と、蓋側面によって形成される少なくとも１つの側面とで規定される。閉じた状態の箱において、容器側面と蓋側面は少なくとも部分的に互いに重なり合う。蓋の際立った特徴は、内側に対向し傾斜したスライド面が、箱を閉じる時に、容器に対して正しい蓋の閉じ位置に移動するために、蓋の上部壁の内側に配置されることである。スライド面は、蓋側面に沿って、かつ隣接して、上部壁と蓋側面に対してある角度をなして設けられ、蓋側面から離れている。
【０００９】
開口容器を閉じる時、前述の特徴を有する箱は、間違った位置にある蓋を、開口容器に対して、正しい閉じ位置に容易に移動させることを可能にする。これは、蓋の正しい取り付けを促すように機能し、蓋を不正確に取り付けるリスクを減少させる。
【００１０】
１実施例によると、傾斜したスライド面は、上部壁の中心寄りの部分より上部壁が蓋側面に隣接した部分において、上部壁が、より厚い材厚を有するところで、形成される。
【００１１】
このような蓋の設計により、蓋の正しい取り付けを促し、蓋を不正確に取り付けるリスクを減少させる傾斜したスライド面を実現する。
【００１２】
１実施例によると、スライド面がその内側に配置される低いフランジによって規定されている溝が、蓋側面に隣接する蓋の上部壁の内側に配置されても良い。
【００１３】
このような蓋の設計は、蓋の正確な取り付けを促し、蓋の不正確な取り付けのリスクを減少させる。
【００１４】
１実施例によると、確実に連結する手段が、箱が閉じた状態で、開口容器に対し蓋を固定するために提供される。
【００１５】
そのような方法は、容器の確実に閉じることを実現する。
【００１６】
１実施例によると、ベース面の少なくとも一方の寸法が、閉じた状態の箱の高さより大きくてもよい。
【００１７】
このような設計は、嗅ぎ煙草の包装に適した箱、例えば、比較的平らで、従って、扱いや保管が容易な箱を実現する。
【００１８】
本発明の請求項２によれば、箱の蓋は、開口容器を閉じるために製造される。閉じた状態で、箱は、開口容器の底部壁から構成されるベース面と、蓋の上部壁から構成されるベース面の２つのベース面と、そして、容器側面と蓋側面とによって形成される少なくとも１つの側面によって規定される。閉じた状態の箱で、容器側面と蓋側面は、互いに、少なくとも部分的に重なる。箱の際立った特徴は、内側に対向し傾斜するスライド面が、開口容器を閉じる時、蓋を、容器に対し正しい閉じ位置に移動するために、蓋の上部壁の内側に配置されていることである。スライド面は、蓋側面に沿って、かつ隣接して、上部壁と蓋側面に対してある角度をなして設けられ、蓋側面から離れている。
【００１９】
開口容器を閉じる時、前述の特徴を有する蓋は、正しくない位置にある蓋を容易に、開口容器に対して正しい閉じ位置に移動させることが可能である。これは、蓋の正しい取り付けを促すように機能し、また、蓋が不正確に取り付けられるリスクを減少させる。
【００２０】
１実施例によると、傾斜したスライド面は、上部壁の中心寄りの部分よりも、蓋側面に隣接した部分において、上部壁がより厚い材厚を有するところで形成される。
【００２１】
１実施例によると、スライド面がその内側に配置されている低いフランジによって規定されている溝が、蓋側面に隣接している蓋の上部壁の内側に配置されてもよい。
【発明の効果】
【００２２】
【発明を実施するための最良の形態】
【００２３】
実施例のより詳細な説明は、以下に添付図を参照にしてなされる。
【００２４】
図１〜図５は、開口容器２と、開口容器２を閉じるための蓋３とから構成される箱１の１実施例を示す。蓋３は、開口容器２から自由である、つまり、２つの部分は、ちょうつがいや他の同様の配置によって連結されたり、接続されたりはしていない。図１に示される基本的な形状において、蓋３が取り付けられた箱１は、基本的にまっすぐで円形の円柱から構成され、その内部空間は、側面、つまり円柱の円周面と共に、開口容器の底部壁４から構成されるベース面４と、蓋３の上部壁５から構成されるベース面５の２つのベース面４、５とによって規定される。側面は、容器側面６と呼ばれる、容器の側面６と、蓋側面７と呼ばれる蓋の側面７によって形成される。当業者にとって適していると見える他の箱１の形状は、例えば、非円形のベース面４、５を有する円柱の形状や、曲線の縁や角を備えた、あるいは備えていない立方体、又は直方体などの箱１も使用されても良い。図６а〜ｅは、ベース面４、５の形状の１実施例の上面図を示す。もし、箱１が、例えば、立方体、又は、長方形のブロック形状を有するなら、箱１の内部空間は、ベース面４、５及び、４つの側面で規定され、容器側面６と蓋側面７の両方が、４つの側面から成ることが理解されるであろう。様々な実施例において、底部壁４と上部壁５は、平面、又は、アーチ形、あるいは、機能や外観の考慮によって決定される、側面から見た他の断面の形状を有しても良い。図７ａ〜ｃは、側面から見た箱１の形状の前記実施例の実例を示す。１実施例において、底部壁４と上部壁５とは、各々、図４と５から見られるように、箱１に対し、それぞれ内側と外側に、同じ曲率半径で、外面的にアーチ状となっている。
【００２５】
上述のように、そして図２に示されるように、開口容器２は、底部壁４と、図２に示される実施例において、上から見た場合に基本的に円形の断面を有する、円周の容器側面６によって規定される。箱１が、上述のような他の実施例を有してもいいことは、再び指摘されなければならない。開口容器２は、代わりに、立体や長方形のブロック形のような相当する形状を有している。図２、４、及び５を参照に、開口容器２の円周の容器側面６は、代わりに、その外側のように、直線部分８から構成されてもよく、それは、底部壁４に隣接した位置にあり、その平面と垂直であり、その外側は、まっすぐな円形の円柱の円周面から構成される。これに隣接している外側に配置されたものは、内側及び上側に向けられた縁９であり、直線部分８に最も近いそれは、直線部分に対し直角で細い縁から構成されてもよい。フランジ１０は、縁９のすぐ上に配置され、斜め内側に向かい、そして、フランジ１０の外周部から、フランジの上側１１は、斜め内側及び上側に広がる。外側面部１２は、フランジ１０の上に位置し、その側面部１２は、直線部分８と同じ形状を有するが、いくらか半径が小さい。円周の容器側面６の内側は、機能的な部分がなければ、平面である。
【００２６】
上述のように、そして図３〜５に示されるように、蓋３の上部壁５に隣接する蓋は、円周の蓋側面７によって規定され、それは、図３〜５に示される実施例において、上部から見た時に基本的に円形の断面を有し、箱１が、閉じた時に、基本的に開口容器の、容器側面６と同心で、これの外側に位置している。その内側の底部で、円周の蓋側面７は、代わりに手段１３から構成されても良く、それは、箱１が閉じている状態で、蓋３を、開口容器２に固定するため、容器側面６上の対応する手段１０と共に確実に連結するように設計されている。このような手段１０、１３は、例えば、留め具１０、１３から構成されても良い。このような留め具１０、１３は、図５に示され、本実施例においては、フランジ１３から構成され、箱１が閉じている時、上記のように、容器側面６の対応するフランジ１０とかみ合わせるように適合され、フランジ１０、１３は、互いに支えあうことが可能となっている。さらに、容器側面６に対して、蓋を導くための多くの突起１４が、蓋側面７の内側の周りに備えられても良い。図３に示される突起１４は、蓋３の上部壁５と、蓋側面７の内側に沿った下方の蓋側面７との間の変わり目の部分から、蓋側面７のおよそ半分の高さまで伸びる。箱１が閉じられる時、これらの突起１４は、容器側面６の外側面部１２に接触して支える。
【００２７】
１実施例によると、溝１５は、円周の蓋側面７に隣接する蓋３の上部壁５の内側に配置され、溝１５は、比較的低い高さを有するフランジ１６によって規定されている。溝１５は、開口容器の容器側面６の上縁１７より幅が広く、箱１が、閉じている時、上縁１７は、溝１５の底部に接触して、又は、これの近くに置かれる。１実施例において、上縁１７は、溝１５の底部に接触して置かれ、そして、容器側面６と蓋側面７が、互いにどこまで重なるかを決定する。上縁１７は、さらに、それを閉じる時に、蓋側面７の内側と、斜め外側及び下側に向かうフランジ１３の低部の最も外側の部分とに接触して支えるように適合された半径を有する。このような設計により、閉じることが容易になる。閉じる時に、蓋側面が、基本的に、直角で、外側に弾性的に圧力がかけられるように、上縁１７は、蓋側面７に接触して圧力がかけられ、蓋１に合う第１段階を顕著に促す。側面から見た時に、肥厚した断面を有する部分１８が、フランジ１６から、蓋の中心に向かって内側に配置されても良い。この部分１８の材厚は、中心に向かって内側で薄くなり、短い距離で蓋３の上部壁５に達する。面１９は、従って、蓋の内側に形成され、もし蓋３が、開口容器２の上で斜めに終わるなら、その面に沿って、容器の外側面部１２の上縁１７は、スライドすることができる。蓋３のスライド面１９を有するこの実施例が、開口容器２の上に斜めに置かれる蓋３によってもたらされる、上述の問題をなくすか、又は、少なくとも顕著に減少させることが、驚くほど明白である。斜めに置かれる蓋３は、簡単に移動させられ、傾斜した面１９の上をスライドする容器側面６の上縁１７は、フランジ１６を超えて、溝１５に落ちる。さらに、蓋側面７は、
図８に示されるように、上部壁５は、箱１の内側から離れた側に位置し、上部壁５と外蓋２０によって規定される空間を有するように設計されても良い。これは、例えば、使用済みの嗅ぎ煙草の一時的保管に使用されてもよい、小さな封止空間を作るように機能する。このような空間から構成される蓋の例は、ＷＯ２００５０１６０３６に記載されている。
【００２８】
図９に示されるように、箱１の１実施例は、突起部２１を備えて設計された底部壁２から構成されても良く、したがって、突起部の周りと容器側面の内側にチャンネル２２を形成する。このような突起部は、ＳＥ５２４０２５に記載されている。
【００２９】
本発明の意図の範囲から離れることなく、設計は、ここで説明されたことに付加される様々な方法で、変えられても良い。留め具１０、１３やガイド突起１４のような個々の詳細の異なる実施例とは別に、箱１が閉じられる時に、容器側面６の内側に位置されるべき蓋側面７に対し、この場合に、スライド面１９が、容器２の部分であるように、蓋３と容器２の機能的な部分が逆にされていることも可能である。このような場合は、その機能と設計とは、他の面では、同様のままである。本発明のこれら及び、他の実施例は、当業者にとって明らかであろう。
【図面の簡単な説明】
【００３０】
【図１】図１は、箱を示す概略斜視図である。
【図２】図２は、図１に関する箱の開口容器を示す概略斜視図である。
【図３】図３は、図１に関する箱の蓋を示す概略斜視図である。
【図４】図４は、蓋が取り付けられた箱の断面を示す。
【図５】図５は、図４の一部の拡大を示す。
【図６】図６ａ〜ｃは、上から見たベース面の形状の実施例を示す。
【図７】図７ａ〜ｃは、側面から見た箱の形状の実施例を示す。
【図８】図８は、内部空間を有する蓋を備えた箱の１実施例の部分的に断面を含む概略斜視図を示す。
【図９】図９は、底部壁に突起を有する開口容器を備えた箱の１実施例の部分的に断面を含む概略斜視図示す。
【符号の説明】
【００３１】
１     箱
２     開口容器
３     蓋
４、   ベース面、底部壁
５     ベース面、上部壁
６     容器側面
７     蓋側面
８     直線部分
９     縁
１０   手段、留め具、フランジ
１１   上側
１２   外側面部
１３   手段、留め具、フランジ
１４   突起
１５   溝
１６   フランジ
１７   上縁
１８   肥厚した断面を有する部分
１９   傾斜したスライド面
２０   外蓋
２１   突起部
２２   チャネル 
【図１】
2008532861.tif 000003
【図２】
2008532861.tif 000004
【図３】
2008532861.tif 000005
【図４】
2008532861.tif 000006
【図５】
2008532861.tif 000007
【図６】
2008532861.tif 000008
【図７】
2008532861.tif 000009
【図８】
2008532861.tif 000010
【図９】
2008532861.tif 000011
【国際調査報告】
2008532861.tif 000012
2008532861.tif 000013
2008532861.tif 000014
2008532861.tif 000015